(57)【特許請求の範囲】
【請求項１】
活性成分を含有または化粧製品を形成する製品を生体の表面に供給するための装置であって、
前記装置は、筐体と、前記筐体に取り外し可能に接続されたカートリッジとを備え、
前記カートリッジは、アプリケータ部と、前記製品を収容する貯留槽であって前記貯留槽の容積を縮小するための可動および／または変形可能な壁部を有する貯留槽とを備え、前記貯留槽の容積を縮小することによって前記製品を前記アプリケータ部に塗布するための少なくとも１つの開口部が前記貯留槽と前記アプリケータ部との間に設けられ、
前記筐体は、前記カートリッジを通しておよび／または前記カートリッジに沿って光を放射するための少なくとも１つの光源と、前記貯留槽の容積を縮小するために前記貯留槽の前記可動および／または変形可能な壁部を駆動するための駆動装置とを備える、装置。
【請求項２】
前記アプリケータ部は、硬質、剛性、前記製品に対して不浸透性、および前記製品に対して非吸収性のうちの少なくとも１つである材料製である、請求項１に記載の装置。
【請求項３】
前記カートリッジは、少なくとも一部が前記光源にて放出された前記光の少なくとも一部に対して透過的である、請求項１に記載の装置。
【請求項４】
前記貯留槽は、相対的に小さな製品容積を備え、
前記可動および／または変形可能な壁部は、前記貯留槽の容積をほぼゼロまで縮小するように構成され、
前記筐体は、前記貯留槽の容積を縮小するために少なくとも前記駆動装置を制御するための制御ユニットを備える、請求項１に記載の装置。
【請求項５】
前記可動および／または変形可能な壁部は、ピストンにて形成またはピストンを備えた可動壁部にて形成される、請求項１に記載の装置。
【請求項６】
前記筐体は、前記貯留槽の容積をほぼゼロミリリットルまで縮小するために少なくとも前記駆動装置を駆動するための制御ユニットを備え、
前記制御は、前記駆動装置に行う一連の吐出ステップを含み、前記容積の縮小を１つの連続ステップまたは断続的に行わせることができる設定である、請求項１に記載の装置。
【請求項７】
前記装置は、光ガイドを少なくとも１つ備え、
前記光ガイドは、前記少なくとも１つの光源からの前記光を前記皮膚の表面および／または前記アプリケータ部を通して伝達するための前記光ガイドの一端まで前記光を案内する、請求項１に記載の装置。
【請求項８】
前記アプリケータ部は、前記カートリッジ内および／または上に設けられ、前記皮膚への塗布中において、前記装置と製品の吐出先である前記皮膚との間の接触が前記カートリッジの一部である前記アプリケータ部にてのみ行われるように、前記カートリッジは、前記筐体内および／または上に設けられ、
前記カートリッジは、使い捨てカートリッジである、請求項１に記載の装置。
【請求項９】
前記貯留槽を少なくとも備えた前記カートリッジの部分を挿入可能な開口部が前記筐体の一端に設けられ、前記光源から前記貯留槽を通過した光を前記アプリケータ部および／または前記アプリケータ部に隣接する位置に案内する少なくとも１つの光ガイドが前記貯留槽の少なくとも一部に沿って設けられている、請求項１に記載の装置。
【請求項１０】
前記カートリッジおよび前記筐体には、前記貯留槽の少なくとも一部が前記筐体内に設けられ、少なくとも前記アプリケータ部が皮膚に係合するために前記筐体外に少なくとも部分的に突出するように、前記カートリッジを前記筐体に取り外し可能に接続するために協働する接続部が設けられ、前記筐体に設けられた前記光源からの光を前記貯留槽の少なくとも一部を通して前記アプリケータ部および／または前記アプリケータ部に隣接する位置に案内する少なくとも１つの光ガイドが前記貯留槽の少なくとも一部に沿って設けられている、請求項１に記載の装置。
【請求項１１】
前記アプリケータ部は、可動部である、請求項１０に記載の装置。
【請求項１２】
前記アプリケータ部は、可動部であり、
前記カートリッジは、カートリッジ筐体を有し、
前記アプリケータ部の一部は、前記カートリッジ筐体の外側に突出し、
前記貯留槽は、前記筐体の外側に突出する前記アプリケータ部の前記一部から離れ前記カートリッジ筐体の一部に設けられ、
前記貯留槽の前記可動および／または変形可能な壁部は、前記貯留槽の容積を縮小させて製品を前記貯留槽から押し出すために、前記アプリケータ部とは反対側に面した側に、ピストンにて形成された可動壁部として形成されている、請求項１０に記載の装置。
【請求項１３】
前記カートリッジ筐体は、前記少なくとも１つの光ガイドの一端の近傍に一部を有し、
前記カートリッジ筐体の前記少なくとも一部は、光を前記カートリッジを通して伝達可能とするように、使用中に前記光ガイドを通して案内される前記光の少なくとも一部に対して透過的である、請求項１２に記載の装置。
【請求項１４】
前記アプリケータ部は、ボールであり、
前記ボールは、前記少なくとも１つの光ガイドにて案内され前記カートリッジ筐体の前記透過部を通して伝達される前記光の少なくとも一部に対して透過的である、請求項１３に記載の装置。
【請求項１５】
前記筐体は、モータと、前記モータにて移動可能な駆動ロッドとを備えた機械的駆動装置を備え、
前記貯留槽は、前記貯留槽の一部に接するピストンを有し、
前記駆動ロッドは、前記ピストンを前記貯留槽内まで移動させて前記貯留槽の容積を縮小して製品を前記アプリケータ部上に押し出すために前記ピストンに係合し、前記駆動装置および前記少なくとも１つの光源の少なくとも一方を制御するための制御ユニットが設けられている、請求項１０に記載の装置。
【請求項１６】
前記制御ユニットは、１５分未満の単一の吐出サイクルで前記貯留槽の容積をほぼゼロミリリットルまで縮小するために前記駆動装置を少なくとも制御するために設けられ、
前記制御は、秒単位で前記駆動装置が行う一連の吐出ステップを含み、前記容積の縮小を１つの連続ステップまたは断続的に行わせることができる設定である、請求項１５に記載の装置。
【請求項１７】
前記筐体内への前記カートリッジの取り付けによって起動し、前記装置をオンに切り換えるためのスイッチが前記筐体に設けられている、請求項１０に記載の装置。
【請求項１８】
前記駆動装置は、電気モータまたはピエゾモータを含む機械的駆動装置を備える、請求項５に記載の装置。
【請求項１９】
前記筐体は、１５分未満の単一の吐出サイクルで前記貯留槽をほぼゼロミリリットルまで減少するために少なくとも前記駆動装置を駆動するための制御ユニットを含む、請求項６に記載の装置。
【請求項２０】
前記単一の吐出サイクルは、５分未満の単一の吐出サイクルである、請求項１９に記載の装置。
【請求項２１】
前記装置からの前記カートリッジの取り外しを、ユーザが前記カートリッジに触れることなく可能とするカートリッジ解放システムが設けられている、請求項８に記載の装置。
【請求項２２】
前記可動部は、ボールである、請求項１１に記載の装置。
【請求項２３】
前記少なくとも１つの光ガイドの一端の近傍の一部は、前記少なくとも１つの光ガイドの前記一端に接触している、請求項１３に記載の装置。
【請求項２４】
前記単一の吐出サイクルは、５分未満の単一の吐出サイクルである、請求項１６に記載の装置。
【請求項２５】
請求項１に記載の装置に使用されるカートリッジであって、
前記カートリッジは、前記装置の筐体に取り外し可能に接続されるように構成され、
前記カートリッジは、アプリケータ部と、前記製品を収容する貯留槽であって前記貯留槽の容積を減少するための可動および／または変形可能な壁部を有する貯留槽とを備え、前記貯留槽の容積を減少することによって前記製品を前記アプリケータ部に塗布するための前記少なくとも１つの開口部が前記貯留槽と前記アプリケータ部との間に設けられている、カートリッジ。
【発明の詳細な説明】
【技術分野】
【０００１】
本発明は、製品と光とを塗布面、特に皮膚の真皮または表皮に適用するためのアプリケータに関する。さらに、本発明は、少なくとも製品を表面、特に皮膚の表皮に塗布するためのカプセルに関する。
【背景技術】
【０００２】
物質を皮膚の表皮に供給するなど、製品を表面に供給するために、前記表面上で転動可能なボールなどのアプリケータ部を有するディスペンサを使用することが知られている。この物質は、アプリケータ内の貯留槽からボールにて取り込まれ、ボールが転動する表面に移動される。
【０００３】
さらに、例えば、前記表面に塗布された物質の効果を最適化するために、光を表面に照射することが知られている。
【０００４】
人間の皮膚に光を照射するためのアプリケータは、特許文献１から公知である。このアプリケータは、ハンドピースであり、マッサージ部である転動ボールと、ハンドピースを制御装置内の光源に接続するためのコネクタとを備えている。前記光源からの光は、光ファイバなどの光接続体を介してハンドピースに送られ、その後ボールを介して、またはボールに沿って照射対象の表面に放射される。ボールは、ハンドピース内のボール室内に保持されている。一実施形態において、ハンドピースには、複数の開口部または間隙部がボールの周囲に設けられており、皮膚の処置中、冷却／加温用空気／液体、またはマッサージオイル／潤滑剤がそこを介して皮膚に送られる。特許文献１においては、このような供給される液体が、使用中、ハンドピースの外側にある液体源からハンドピースに接続された管を通ってボール室に注入される。
【０００５】
供給される流体を収容した貯留槽にて取り囲まれる転動ボールをボール室内に備えた手持ち式装置は、特許文献２から公知である。転動するボールにて流体を取り込んで皮膚に供給できる。ボールの加熱および光療法のための光をボールの表面に放射してボールを通過させることができる。
【０００６】
特許文献３は、ハンドルとヘッドとを備え、物質を皮膚に塗布するためのアプリケータ装置について開示している。ヘッドは、ハンドルへの接続のための恒久部と、ベース、吐出対象物質の容積、およびこの物質の吐出用のスポンジを備えた使い捨て部とを備えている。スポンジは、半球状であり、ベースとスポンジとの間に吐出対象物質のための容積が設けられるようにベース上に形成されている。スポンジの半球状外面は、塗布面となり、スポンジは、孔が開口しているので、これら孔を介して物質をユーザの皮膚に供給できる。ハンドルは、電磁誘導、またはモータにて第１の磁石を回転させることによって、回転磁力を発生させる構成とされている。ハンドルからヘッドへ動力を伝達のための動力伝達装置がヘッドの恒久部に設けられている。第２の磁石がヘッド内のリング状ステータ内に設けられている。第２の磁石は、回転磁場にて回転し、エネルギー源としてヘッド内で用いられる。ヘッドの使い捨て部は、ヘッドの恒久部から伝わる動力に応じて、物質の一部を当該容積からスポンジの孔を通して放出する構成とされている。この装置において、スポンジは、皮膚への製品の送り出し中に変形され、製品の少なくとも一部を吸収する。さらに、スポンジは、貯留槽に接して設けられ、これにより製品の吐出は、スポンジに加わる力によって少なくとも部分的に制御される。
【０００７】
一実施形態において、使い捨て部は、中心開口部を備えている。ヘッドの恒久部は、４つのＬＥＤが自由端側に設けられた管状延長部を備えている。管状延長部は、ヘッドの使い捨て部を恒久部に取り付けることよって、各ＬＥＤがスポンジの半球面から外側に突出するように中心開口部に嵌合している。
【０００８】
特許文献４は、筐体内に固定された機械的な振動部と、光源と、加熱冷却部とを備えた、治療薬用の経皮送出装置について開示している。筐体の一端は、塗布面を形成している。一実施形態において、治療薬を収容した貯留槽は、塗布面から十分に離れて配置されて筐体内に備えられ、一連の細い管路を介して塗布面に接続されている。一実施形態において、貯留槽は、これら管路への接続用の有形の終端部（ｔａｎｇｉｂｌｅ  ｃｌｏｓｕｒｅｓ）を有する交換可能な小袋として構成されている。塗布面と、その反対側の筐体の端部とを貫通して延在するピストンロッドがピストンに設けられている。このピストンロッドは、製品が吐出されるようにピストンを小袋に押し付けるためにユーザが係合させることができる。代わりに、貯留槽が筐体の一体である一実施形態が開示されている。
【０００９】
特許文献５は、治療用光処理のための装置について開示している。この装置においては、ボールが皮膚の表面で転動し、この転動中に光が皮膚に放射される。
【００１０】
特許文献６は、ヘッド部を有する、化粧品および／または薬剤の吐出装置について開示している。複数の実施形態において、ヘッド部には、アプリケータ部であるボールと、ヘッド部の頂部、および／またはボールを通して光を放出する光源とが設けられている。複数の実施形態において、装置全体を使い捨てにできる。他の複数の実施形態においては、化粧または薬剤化合物を備えた使い捨てカートリッジをヘッド部の背面側に取り付けることができる。同様の装置が特許文献７に開示されている。この特許文献においても、アプリケータ部であるボールを備えた再利用可能なヘッド部の背面側に取り付けられる大量の製品を収容した使い捨て貯留槽について開示している。製品は、自然な流れ、例えば重力にてアプリケータ部に供給される。
【００１１】
特許文献８は、アプリケータ部であるボールを有する、化粧および／または医療用のアプリケータ装置について開示している。この装置は、使い捨てのアプリケータ部と、動力源および振動部を備えた再利用可能なベースとを備えている。ボールの周囲に設けられた半球状の貯留槽に吐出対象物質が供給される。さらに、アプリケータ部には、その物質の加熱または冷却を行なうために混合する必要がある複数の化合物が貯留槽とベースとの間に収容される。これら化合物と、その物質を有する貯留槽と、ボールとを介して光を皮膚に放射するための光源がベースに設けられている。すなわち、使用中において、この光は、これら部分、およびこれら部分内の変化、例えば充填レベルおよび中身の種類、混合用化合物の温度、成分間の空隙などに影響を受け、システムの精度を下げることになる。さらに、特許文献８において、ボールへの吐出対象物質の送り出しは、明らかにボールと吐出対象物質との間の付着にて行われている。
【先行技術文献】
【特許文献】
【００１２】
【特許文献１】米国特許出願公開第２００８／２６２３９４号
【特許文献２】独国特許発明第３９０５５１７号
【特許文献３】米国特許出願公開第２０１１／０１０６０６７号
【特許文献４】米国特許出願公開第２０１１／００４０２３５号
【特許文献５】米国特許出願公開第２００９／０２９９２３６号
【特許文献６】米国特許出願公開第２００８／００１４０１１号
【特許文献７】米国特許出願公開第２０１２／０２０７５３２号
【特許文献８】国際公開第２０１０／１１１９９７号
【発明の概要】
【課題を解決するための手段】
【００１３】
本開示の目的の一つは、製品および光を人間の皮膚の真皮などの表面に吐出するための一つの代替システムを提供することである。本開示の目的の一つは、製品を表面に供給するためのカプセルを提供することである。本開示の目的の一つは、好ましくは良好に制御された方法で少量の製品を供給可能なボールなどのアプリケータ部にて吐出される流体のための貯留槽と光源とを備えた手持ち可能なアプリケータシステムを提供することである。本開示の目的の一つは、皮膚の真皮などの表面に単位時間当たり所定量の製品を吐出するアプリケータ部にて製品と光とを前記表面に適用して前記表面を処置するための方法およびシステムを提供することである。本開示の目的の一つは、人間の皮膚などの表面に製品と光とを衛生的かつ快適な方法で供給するためのアプリケータシステムを提供することである。本開示の目的の一つは、このようなアプリケータシステムであって、使用中に、アプリケータと物質が塗布されるユーザの皮膚との間の接触が使い捨て部と皮膚との間の接触に制限されるアプリケータシステムを提供することである。このようなアプリケータは、アプリケータのどのような姿勢、例え垂直姿勢であっても、皮膚に接触させて使用できることが好ましい。
【００１４】
本開示の上記および／または他の目的のうちの少なくとも１つは、本開示に開示されているようなシステム、アプリケータ、カプセル、および／または方法にて達成できる。
【００１５】
一態様において、活性成分を含有する、または化粧製品を形成する、製品を生体の表面に供給するためのカプセルを提供することができる。このカプセルは製品供給領域を有し、この製品供給領域に通じる本体内の製品供給部と、内部に光源が配設された筐体の第２の接続手段に、カプセルを取り外し可能に取り付けるための第１の接続手段とを備えている。
【００１６】
一態様においては、生体の表面に供給される活性成分と、この表面への放射源とを収容した製品供給装置を提供できる。この装置は、供給用のカプセルと、このカプセルが第１および第２の接続手段にて取り外し可能に取り付けられる筐体とを備え、この筐体の内部に、前記光線（単数または複数）を製品供給領域に向けて放出するように最適化された光源が内部に配設されている。
【００１７】
別の態様においては、活性成分を含有する、または化粧製品を形成する、製品を生体の表面に供給するとともに、光波（単数または複数）のエネルギーを少なくともその表面まで放出／排出するための装置を提供できる。この装置は、製品を前記表面に供給するための供給領域と、例えば集束、または好ましくは、例えば可動部と皮膚との間の接触領域のより広い領域に亘って広がる、少なくとも１つの光線を当該表面に向けて放出する少なくとも１つの光源とを備えている。
【００１８】
さらに別の態様においては、例えば上記のような装置と併用されるカプセルを提供できる。このカプセルは、筐体内に回転可能に取り付けられたボールを備え、その筐体は、ボールにて吐出される製品を収容するための、移動および／または変形可能な壁を有する貯留槽を備え、この貯留槽はボールと筐体との間の空間に少なくとも１つの開口部を介して連通している。この開口部は、好ましくは比較的小さい。貯留槽は、好ましくは比較的少量の製品のための容積を有している。
【００１９】
本開示によると、カプセルは、好ましくは使い捨てで、例えば一度の塗布サイクルに十分な量など、比較的少量の吐出対象製品を収容することが好ましい。このサイクルは、例えば一連の吐出ステップを含むことができる。
【００２０】
さらに別の態様においては、製品と光とを表面に供給するための方法を提供できる。本方法においては、製品を収容する貯留槽を備えたカプセルが、少なくとも光源と制御ユニットとを備えた筐体に取り外し可能に接続されている。カプセルは、ボールなどの可動部を備え、このボールにて製品を表面に吐出するために、製品を貯留槽からボールの表面に供給可能であり、前記表面に前記製品を吐出する前、間および／または後に、光が光源からカプセルを通って前記表面に伝わる。その後、カプセルは、当該筐体から取り外され、別のカプセルに交換される。カプセルは、比較的少量の製品を収容することが好ましい。
【００２１】
示唆される解決策に関係する他の特徴および利点は、以下のさまざまな実施形態の詳細な説明から明らかになるであろう。これらの説明における参照符号は、例として提供されている添付の図面を参照している。
【図面の簡単な説明】
【００２２】
【図１】長手方向の中心断面に沿ってその内部が示されている製品アプリケータ装置の一例である。
【図２】製品供給部と可動部とを含むカプセルのみの長手方向の中心断面である。
【図３】図１による光放射の放出におけるさらに部分的および模式的な図である。
【図４】軸方向に支持され、光源が設置されている電気回路を閉じている場合にのみ光放射線の放出を発生させる遮断器を区画する安全手段にて電気回路が開いている状態を示す。
【図５】軸方向に支持され、光源が設置されている電気回路を閉じている場合にのみ光放射線の放出を発生させる遮断器を区画する安全手段にて電気回路が閉じている状態を示す。
【図６】焦点が真皮レベルに調節されている場合の皮膚への製品／放射の共同作用を示す。
【図７】装置の一変形例の長手方向の中心断面である。
【図８】図７の変形可能片４９のみの矢印にて変形が示されている図である。
【図９】図７の装置の一領域を拡大内面図で示す。
【図１０】図７の装置の一領域を拡大内面図で示す。
【図１１】図７の装置の一領域を拡大内面図で示す。
【図１２】製品を能動的に吐出するための本発明に係る装置の長手方向の軸を含む中心断面に沿った断面を模式的に斜視図で示す。
【図１２Ａ】能動的な吐出を概説するためにカプセルおよびアプリケータユニットの一部を断面図で模式的に示す。
【図１２Ｂ】カプセル筐体の一実施形態におけるボールを側断面図で模式的に示す。
【図１２Ｃ】カプセル筐体の一実施形態におけるボールを前面図で模式的に示す。
【図１３Ａ】能動的な吐出用組立体の第１の実施形態を模式的に示す。
【図１３Ｂ】能動的な吐出用組立体の第１の実施形態を模式的に示す。
【図１３Ｃ】能動的な吐出用組立体の第１の実施形態を模式的に示す。
【図１３Ｄ】能動的な吐出用組立体の第１の実施形態を模式的に示す。
【図１３Ｅ】能動的な吐出用組立体の第１の実施形態を模式的に示す。
【図１３Ｆ】能動的な吐出用組立体の第１の実施形態を模式的に示す。
【図１３Ｇ】能動的な吐出用組立体の第１の実施形態を模式的に示す。
【図１３Ｈ】能動的な吐出用組立体の第１の実施形態を模式的に示す。
【図１３Ｉ】能動的な吐出用組立体の第１の実施形態を模式的に示す。
【図１４Ａ】能動的な吐出用組立体の第２の実施形態を模式的に示す。
【図１４Ｂ】能動的な吐出用組立体の第２の実施形態を模式的に示す。
【図１４Ｃ】能動的な吐出用組立体の第２の実施形態を模式的に示す。
【図１４Ｄ】能動的な吐出用組立体の第２の実施形態を模式的に示す。
【図１４Ｅ】能動的な吐出用組立体の第２の実施形態を模式的に示す。
【図１４Ｆ】能動的な吐出用組立体の第２の実施形態を模式的に示す。
【図１４Ｇ】能動的な吐出用組立体の第２の実施形態を模式的に示す。
【図１４Ｈ】能動的な吐出用組立体の第２の実施形態を模式的に示す。
【図１４Ｉ】能動的な吐出用組立体の第２の実施形態を模式的に示す。
【図１５Ａ】特に図１２〜１４を参照して説明した能動的な吐出用ユニット１１４の代替一実施形態を示す。
【図１５Ｂ】同一または同様の部分および特徴を同一または同様の参照符号で示した、特に図１２〜１４を参照して説明した能動的な吐出用ユニット１１４の代替の別の実施形態を示す。
【図１５Ｃ】同一または同様の部分および特徴を同一または同様の参照符号で示した、特に図１２〜１４を参照して説明した能動的な吐出用ユニット１１４の代替の別の実施形態を示す。
【図１６Ａ】放出された光の少なくとも一部がボールにて形成されたアプリケータ本体を通過する装置の別の実施形態を断面で模式的に示す。
【図１６Ｂ】放出された光の少なくとも一部がボールにて形成されたアプリケータ本体を通過する装置の別の実施形態を断面で模式的に示す。
【図１７】可動しないアプリケータ面を有する装置のさらに別の実施形態を模式的に示す。
【発明を実施するための形態】
【００２３】
本発明は、本願明細書に開示され具体的に説明されている実施形態に限定されるものではない。本願明細書に開示されている複数の実施形態、またはこれらの部分の複数の組み合わせを含むが、これに限定されない。さらには図面に示され、および図面を参照して説明されている複数の実施形態とこれらの部分および特徴とを含むが、これに限定されない。多くの代替の実施形態が開示され、または特許請求の範囲にてカバーされていると見なされる。
【００２４】
複数の実施形態においては、複数の部分または複数の製品、例えば安定した製品をより長期間に亘って提供せず、または前記表面５またはその近傍において起こることが望ましい化学的または物理的反応を混合時におこし、複数の成分が吐出されて塗布後にのみ混合されるように、例えば可動部の周囲の空間に開口する複数の貯留槽を設けることもできる。能動的な吐出用の貯留槽は、異なる構成にでき、例えばプッシュロッドにて圧縮可能、または、例えば押し潰すことによって圧縮可能な可撓性の小袋として構成できる。この目的のために、この小袋を、例えばガス圧または機械的に圧縮もできる。また、貯留槽は、製品の吐出のため、ピストンの代わりにプッシュロッド、または別の方法で変形可能な膜または別途変形可能な壁を有することもできる。ホルダ１５内の光源に加え、またはその代わりに光源をカプセルに設けることもできる。複数の可動部、例えば２つまたは３つのボールまたはロールなどの部分をカプセル内に設けることもできる。本開示による装置には、次のステップで次の製品量を吐出するためにアプリケータ部を次の表面または表面部分に移動させる必要があることをユーザに知らせるための、例えば光、振動および／または音によるアラームなどのインジケータシステムを設けることもできる。複数の実施形態において、装置全体を使い捨てまたは再利用可能にもできる。ただし、使い捨てカプセル１７と再利用可能なホルダ１５との併用が好ましい。
【００２５】
上記および他の変形例についても本願明細書で開示されていると見なされる。
【００２６】
この説明においては、吐出用のアプリケータ、カプセル、および方法の実施形態が単なる例として開示されている。さまざまな実施形態において、同一または同様の部分および特徴は同一または同様の参照符号を有している。記載しているように吐出される製品は、別途明記されていない限り、あらゆる実施形態で使用可能である。
【００２７】
この説明において、「ほぼ」または「約」のような用語は、言及する値または性質に完全に合致する必要がないこと意味していると理解されたい。例えば所定値の２０％以下、例えば１５％未満、例えば１０％以下、または少なくとも５％以下など、小さな変更が可能である。
【００２８】
本開示において、装置１と称されるアプリケータは、少なくとも光源とエネルギー源またはこのようなエネルギー源のためのコネクタとを収容する筐体と、前記筐体に取り外し可能に接続または接続可能なカプセルと、アプリケータ部と、吐出される製品のための貯留槽と、を備えた装置を少なくとも意味するものと理解されたい。カプセルは、アプリケータ部と貯留槽とを備えることが好ましい。
【００２９】
本開示において、カプセルは、記載しているように筐体に接続または接続可能な部分を少なくとも意味すると理解できる。このカプセルは、筐体内および／または筐体上に設けられた第２の結合または接続手段または部分との連結合のための第１の結合または接続手段または部分を少なくとも備えている。
【００３０】
この説明によるカプセルは、好ましくは使い捨てである。使い捨てとは、このカプセルが、比較的少量の製品、特に１回の処置のための製品量を収容し、比較的安価な材料から成り、少なくとも前記少量の製品の少なくとも大半の吐出後、および／または前記１回の処置の後に、廃棄可能であることを少なくとも意味するものと理解することができる。
【００３１】
カートリッジまたはポッドとも称される、このような使い捨てカプセルを使用することによって、さまざまな利点が得られる。処置毎に新しいカプセルを使用することによって、このような処置中、正しい量、または少なくとも望ましい最大量を超えない製品の吐出が保証される。さらに、同一のカプセル、特に同一のアプリケータ部が複数の異なる処置、または複数の異なるユーザによって、または複数の異なるユーザおよび／または表面のために使用されることがないので、より容易に清潔さを確保できる。例えば、アプリケータ部にて取り込まれた汚染物質が複数の処置にて吐出される製品の貯留槽に運ばれることを防止できる。さらに通常は、使用後に最良の清浄を必要とする部分を廃棄できるので、細心に清浄する必要性を制限できる。さらに、複数の吐出対象製品間の切り替えが容易になる。別の利点は、例えば経年変化または酸化による劣化を受け得る製品の場合には、特に前記カプセルの貯留槽の内部に収容されている製品の品質がより良好に確保されることである。
【００３２】
本願明細書において、貯留槽に収容される比較的少量の製品は、例えば１０ｍｌ未満、より具体的には５ｍｌ未満、３ｍｌ未満、より具体的には、例えば０．０１〜１．５ｍｌの間などにできる。
【００３３】
製品は、使用時に、例えば前記表面上でのアプリケータ部の移動にて開始される連続流または半連続流として貯留槽から吐出される。アプリケータ部への流体の供給は、例えば移動するアプリケータ部への製品の付着、重力、毛管現象効果、またはこれらの組み合わせにて行われる。
【００３４】
他の複数の実施形態において、製品は、使用中、例えば制御された流れ、および／または制御された好ましくは単位時間当たり所定の量で、アプリケータ部に能動的に供給される。能動的な供給とは、ある量の製品をアプリケータ部に供給するために正の力が製品に加えられることを少なくとも意味すると理解できる。これは、例えば、モータまたはポンプなどであるが、これらに限定されない、変位源または動力源の影響下で製品に作用するピストン、あるいは貯留槽の移動または変形可能な壁にて実現できる。
【００３５】
光源は、筐体内に設けることが好ましい。複数の実施形態において、光源は、１つ以上のＬＥＤを備えることができ、または１つ以上のＬＥＤにて形成できる。光源は、それぞれ異なる光周波数のために複数の異なる部分を有することができる。カプセルが適切に取り付けられている場合には、光源からの光を筐体の一部を通してカプセルまで案内するための導光体を１つ以上設けることができる。導光体は、例えばＰＭＭＡ、パースペックス、ＰＣなどであるが、これらに限定されず、透明プラスチック製またはガラス製の部分などの光伝送要素または光ファイバを、例えば１つ以上備えることができる。光源からの光を導光体経由でカプセルおよび／またはアプリケータ部に到達、および／またはアプリケータ部を貫通、および／またはアプリケータ部を通過させるために、１つ以上の窓または開口部をカプセルに設けたり、カプセルを光透過材料製にしたりできる。
【００３６】
本開示は、要するにカプセル（アプリケータ装置として機能可能）と、エネルギーを光放射の形で供給する装置とに関する。この装置は、塗布面、特に皮膚の真皮、またはその直下への活性成分を含有または化粧製品を形成する製品の塗布と、選択された波長の光の放射とを同時に行うことができる。
【００３７】
より一般的に、本発明の目的は、
ａ）所望どおり、いくつかの異なる製品の塗布を可能、または最適化された保存能力を有する、または最適化された量をさらに有する、さまざまな形状寸法のカプセル、および
ｂ）兼用装置であって、
活性成分を含有または化粧製品を形成する製品を生体の表面に供給する（または塗り広げる、好ましくは塗布する、したがって塗る）と同時に、
ＵＶから赤外線までの光波（単数または複数）のエネルギーを、例えばエレクトロルミネセンスダイオード（ＬＥＤ）を通して放出することによって、製品とエネルギーとの間の相互作用を前記表面またはその下で生じさせる、
兼用装置、
とすることができる。
【００３８】
さらには、
特に皮膚の処置のために、装置の塗布範囲を拡大できるカプセル、および
表皮またはその内部における放射と製品の活性化との間の相乗反応を向上させる装置、
である。
【００３９】
ここで、「製品」とは、活性成分を含有または化粧製品を形成する物質を意味すると理解されたい。ここで関係するのは、局所的（局部）塗布のための製品である。この製品は、活性成分を含む化粧製品または薬剤のどちらかである。この製品は、多少の流体粘度と組成とを有し、求められる利点に応じて粘度および触感を変更できる。血清または液体乳剤を含めることもでき、必要であれば、わずかにより高濃度のものも排除されない。好ましくは、活性成分は、生体官能効果を有する。
【００４０】
カプセルに収容される製品は、放射線の所定の波長および放射線への所定の暴露時間に応えるようにできることが好ましい。
【００４１】
本発明の目的の一つは、考えられる用途に応じて選択された塗布対象物質が塗布後の製品の効率に好ましい光放射から最適に保護される一方、装置全体に常に利益がある解決策である。
【００４２】
この製品の供給面は、皮膚に加え、生体臓器、特に治癒の必要な臓器の外面とできる。
【００４３】
提案されるカプセルは、製品供給領域を提供し、製品供給領域に通じる本体内の製品供給部と、光源が内部に配設された筐体とカプセルとの間を取り外し可能に接続するための第１の接続手段および第２の接続手段とを備えるようにできる。第１および第２の接続手段は、光源からの光線から距離を置いて位置することができる。
【００４４】
したがって、カプセルの交換可能性、ひいては製品の交換が改良される。
【００４５】
別の利点は、望ましくは、１回のみ使用可能な（単一用量の）特に衛生的なカプセルが設けられるので、細菌の増殖および製品の（特に活性成分の）酸化の危険性が制限されることである。さらに、同一の筐体が様々、特に形状および／または内容物がそれぞれ異なるカプセルを収容できる。
【００４６】
製品、またはこの製品が塗布される身体的環境の活性化方法を単純化するために、放出された光線が上記製品供給領域を、好ましくは通過することが好ましい。
【００４７】
所望の製品については、放射線への暴露を減らすこと（カプセル上の光線のフィルタリング）が可能である。これを実現するには、焦点を調節する一方、カプセルの透明部分の光学指標を変化させ、アプリケータ部（以下の部分７を参照）として機能可能な回転楕円形の製品の粘度に応じて調整可能な直径を変え、および／またはこの場合も例えば粘度に応じて転楕円形（特にボール）下の製品供給部を変更できる。
【００４８】
装置は、前記表面に製品を塗布する（塗る）ための製品アプリケータ部と、光源からの光線の放出を開始する手段とを備え、この開始手段は、供給領域から離れた位置でユーザおよび／または放出開始を可能にするアプリケータ部を介して起動でき、製品は前記供給領域を介して塗布、好ましくはその際に、塗布された製品を光線が通過することがさらに好ましい。
【００４９】
さらに、放出された光に対するユーザの安全性をチェックできる。
【００５０】
製品の一様な分布と、多孔質である臓器の表面または真皮の深さへの製品の浸透とを向上させるために、カプセルは、製品の供給領域を介して製品の塗布に寄与する、または製品を確実に塗布する、および／または前記表面上で移動可能な、好ましくは凸状の外壁を有する可動部を備えることが好ましい。
【００５１】
これは、装置の小型化に好都合であるばかりでなく、製品の塗布と、多孔質である表面の内部への製品の浸透に好ましい、起こり得る「マッサージ」効果との間の相互作用にも好都合である。
【００５２】
複数の好ましい実施形態においては、製品供給領域を形成または収容するユーザの皮膚との接触のための相対的に硬質な表面を有するアプリケータ部がカートリッジ内または上に設けられている。この場合において、相対的に硬質とは、人体の皮膚を基準としていることを理解されたい。相対的に硬質とは、少なくともスポンジ状ではないことを意味するものと理解し得るがこれに限定されない。相対的に硬質とは、カートリッジに収容されている物質の塗布中にアプリケータ部の表面がユーザの皮膚に押し当てられたときに、皮膚にてアプリケータ部が圧縮される以上に皮膚がアプリケータ部にて圧縮されるような表面の硬度を少なくとも有することを意味すると理解し得るがこれに限定されない。アプリケータ部は、物質を塗布するための法線力がアプリケータ部にて皮膚に加えられているときに圧縮されない程度に十分に硬質であることが好ましい。
【００５３】
複数の好ましい実施形態においては、製品供給領域を形成または収容するユーザの皮膚との接触のための相対的に剛性のアプリケータ部がカートリッジ内または上に設けられている。この場合において、相対的に剛性とは、人体の皮膚を基準としていると理解されたい。相対的に剛性とは、カートリッジに収容されている物質の塗布中にアプリケータ部の表面がユーザの皮膚に押し当てられているときに、アプリケータ部がほぼ変形せず、皮膚がアプリケータ部にて弾力的に圧縮される構成を少なくとも有することを意味すると理解され得るがこれに限定されない。
【００５４】
複数の好ましい実施形態においては、塗布中に物質がアプリケータ部の表面の少なくとも一部に亘って供給されるが、前記表面にほぼ浸透しないように、カートリッジ内に収容されている物質に対して非吸収性かつ非透過性のアプリケータ部がカートリッジ内または上に設けられている。
【００５５】
送られた光エネルギーと塗布された製品との間の相互作用を向上させるために、光線は、光源から供給領域を通って表面に放出されることが好ましい。
【００５６】
製品を一皮膚面域に亘って適切に供給するために、供給のためのアプリケータ部への製品の一定流量を保証する活性製品供給部（ａｃｔｉｖｅ  ｐｒｏｄｕｃｔ  ｓｕｐｐｌｙ）が設けられることが好ましい。
【００５７】
装置に収容されている製品の酸化および脱水を抑えるために、はじめての供給前は、保護箔またはキャップが可動部を覆っていることが好ましい。
【００５８】
製品の塗布および上記表面までの光線の通過を最適化するために、装置は、当該表面に向けて放出される光線が通る軸線を区画し、製品供給部は、この軸線を少なくとも基本的に横切って、またはこの軸線の周囲に設置されることが好ましい。第１のケースでは、光線が製品を通過せず、第２のケースでは、光線が製品を通過する。この点は、焦点を決定する際に考慮されるものである。
【００５９】
放出された光線の通過を妨げずに製品の塗布をさらに向上させるために、可動部が製品供給領域を構成することが好ましい。これにより、製品／光の相乗効果を向上できる。
【００６０】
製品の好ましい供給および相乗効果は、可動部が少なくとも１つの枢動軸を中心として枢動し、凸状の外壁を有し、および／または可動部が卵形形状、好ましくは回転楕円形を有し、本体上で枢動および／または本体内で回転することが好ましい。
【００６１】
光源を有する装置の本体とカプセルとの間の取り外し可能な接続、または光線の好ましい放出を妨げずに製品を保護するために、カプセルは、一方の側で外部に向けて開口する空隙と、好ましくは光線に対して透過的であるブラインドフランジとを有することができ、カプセルの前記第１の接続手段は、このブラインドフランジ側の側方に位置している。
【００６２】
したがって、光源を有する筐体とカプセルとの間の分離および軸方向接続のそれぞれが、光線／放射の自由通過を妨げず同時に保証および単純化される。
【００６３】
装置自体に関しては、上記の供給用のカプセルと、このカプセルが第１および第２の接続手段にて取り外し可能に接続される筐体とが装置に設けられ、光線または少なくとも１つの波長を製品供給領域に向けてまたは供給面に向けて放出するように適合化された光源が装置内に配設されていると理解される。
【００６４】
上記の理由により、光源は、製品塗布手段を介して光線を放出することと、好ましくは、製品のアプリケータ部は、光線が通過する卵形形状の形態を可動部として備えていることが好ましい。これにより、上記の相乗効果が向上し、この卵形形状、好ましくは回転楕円形にて光学システムを形成できる。この卵形形状は、その筐体内において、物質の粘度に適合するように構成されている。
【００６５】
好ましい一実施形態においては、単純かつ効率的な光学システムのために、一様に中実または中空である可動部の光学指標が当該可動部全体に亘って一定とされている。
【００６６】
可動部は、さまざまな中実、中空または液体材料から構成することができる。したがって、複数の実施形態においては、選択された製品の効果を最適化するように、焦点を表面内、特に表皮内の特定の深さに調節できる。光が少なくとも部分的に可動部を通過して放出される場合は、同一の目的のために、卵形形状の寸法、特にその直径と光源からの距離によって焦点距離と光流の集中とを当該塗布面の下、特に真皮の特定距離に調節できる。
【００６７】
この場合においても、製品の塗布と光放射にて生じる効果との間の相乗効果の実現のために、光源が収容される筐体と、製品供給部と製品供給領域とを含む筐体に移動可能に取り付けられたカプセルとを含む、２つの部分からなる全体として装置を考慮しながら、製品の酸化を制限することが好ましい。したがって、カプセルは、使い捨て商品、すなわち一回限りの製品の使用を可能にする再装填／詰替品とできる。この場合、製品量は、１日分の処置用量とできる。
【００６８】
カプセルに収容された製品の用量は、カプセルにて形成されたパッケージにて特に酸化からの保護ができる。封着保護フィルムまたはキャップの取り外しに掛かる時間は、製品の塗布直前のわずか数秒である。
【００６９】
あるいは、または好ましくは、さらに製品供給部を環境から隔離するための蓋が取り外し可能に設けられている。これにより、この蓋を最初に開ける前は、製品を酸化から保護する雰囲気で容積が覆われている。
【００７０】
表面に向けた光線の伝達および保護のために、光線に対して透過的な第１の壁を光源と製品供給領域との間に介在できる。この壁は、光線が製品供給領域を通過するようにする。この壁は、人体の表面に接触する可動部の凸状外壁領域またはその先に、光線を集束させるために十分に大きくなる寸法にも構成できる。
【００７１】
この点に関し、塗布された製品と塗布面に向けて放出された光線との間の相乗効果の効率のために、装置内に形成された光学システムにおける光線の通路は、この光線を接触領域に集束させることが好ましい。この接触領域は、製品供給領域が処置対象の表面に接触する場所、またはそのわずか先における、この表面内のより深い場所である。
【００７２】
この点に関して、好ましく選択された解決策は、供給領域および／または製品をこの供給領域に供給する供給部を有する可動部が光学装置を構成する解決策である。この解決策においては、塗布手段が人体の表面に接触し、装置内の光線の通路は、これら光線を接触領域に集束させる。人体の表面との接触領域である上記供給領域、またはその数ミリメートル先に、光線を集束するために可動部を一体に形成できる。この供給面が皮膚の場合は、真皮または真皮と表皮との間に焦点を位置できる。複数の実施形態においては、ボールなどの可動部と皮膚などの塗布対象面との間の接触領域の一部または全体に亘って光を供給できる。複数の実施形態においては、ボールなどの可動部と皮膚などの塗布対象面との間の接触領域の周囲の面域に亘って光を供給できる。
【００７３】
使い捨てカプセルによる解決方法を考える場合、光線に対して透過的な第１の壁は、製品に対してカプセルの一体部分を形成、またはカプセルに気密に取り付けられることがさらに好ましい。この場合、酸化からの保護が特に向上する。
【００７４】
使い捨てカプセルとは、その製品の供給が終了するたびに、別の同様のカプセルに交換されるカプセルと理解されたい。使い捨てカプセルは、使用後に再充填が実質できないカプセルであることが好ましい。
【００７５】
筐体内において、カプセルと筐体とが組み付けられた場合、透過的な第１の壁の反対側に配置可能で、光線に対して透過的な第２の壁にて光源を保護できる。原則として、対向する第１および第２の壁は、空気によってのみ隔てられている。
【００７６】
当該表面の多くの場所における本装置の使用を促進するため、および可動部への製品の広がりを促進するために、この可動部は、装置内または装置上で全方向に枢動する回転楕円形、特に球体またはより長円形の形状がさらに好ましい。この部分はボールであることが好ましい。
【００７７】
ユーザに提案する解決方法の使用および人間工学のために、装置の筐体は、可動部を移動させるためのプッシュハンドルを提供し、このプッシュハンドルは、可動部およびプッシュハンドル内に配置された光源用の給電用電池または複数の電池に向けて延出することが好ましい。筐体をプッシュハンドルとして形成することもできる。すなわち、装置は、筐体にて保持でき、例えばボールなどの可動部を皮膚上で転動させることによって、装置を皮膚表面上で移動できる。
【００７８】
安全な使用、およびユーザが光線を浴びたときにその網膜を損傷し得る光線の光強度を考慮し、装置の単純な機能を確保するとともに、電気エネルギーの不要な損失を回避する一方、光源からの光の放出を開始するための開始手段を装置上に設けることができる。開始手段は、第１の本体と付勢手段とを備え、第１の本体に塗布手段が取り付けられ、第１の本体自体は、装置の第２の本体に対して軸線に沿って第１の位置と第２の位置との間で平行移動可能に取り付けられている。第１の位置においては、第１および第２の本体が互いに軸方向に離れ、光源を備えた電気回路を開く（遮断する）ので、光線を放出できない。第２の位置においては、この軸線に沿って可動部が押されることによって第１および第２の本体が軸方向に互いに近付いて電気回路を閉じるので、光源は光線を放出する。付勢手段は、第１および第２の本体を第１の位置に自然に戻すために、第１および第２の本体の間に設けられている。したがって、可動部にかかる圧力は、電気的接触を開始させ、装置をオンに切り換える。光は、可動部が押圧された場合にのみ放出される。静止時はいかなる光も放出しない。これは、好ましくは、製品のアプリケータを形成する可動部に移動可能に取り付けられた不透明な保護蓋の存在とともに、供給部内の製品の（蓋による）適切な保護と使用上の安全性との組み合わせを可能にする。この場合、キャップが取り外され、可動部が押し込まれた場合にのみ光が放出される。そうでない場合、開始手段は、オン／オフ遮断器、さらに好ましくは上記保護カバーを備える。
【００７９】
当該表面への製品の供給方法および放射線の放出に関して、上記理由により、本方法は、上記装置の製品供給領域に製品を塗布することと、この供給領域に向けて、好ましくは製品の塗布と一緒に放射線を放出することと、を含むことが好ましい。
【００８０】
使用を簡略化しながら、供給と放射線の放出との間の相乗効果を向上させるために、製品は上記装置の製品供給部に用意され、装置の可動部を製品供給部内の製品に接触させた状態で転動させることによって製品が供給されることと、装置の光源によって可動部の外壁面が可動部を通して照らされることが好ましい。
【００８１】
ただし、特定の製品および特定の用途のために、焦点が変えられ、細胞の反応が向上するように、製品を光路内に容易に設置することもできる。
【００８２】
カプセルの底は、放射線に対して透過的、または光学的フィルタリングが可能な材料で構成されている。光学的フィルタリングは、与えられるカプセルに対して使用条件に合った波長の選択が可能である。特定の製品については、光源装置から同一の波長を放出させるために、光線を放出する光源を装置の筐体内に設けることと、装置に対応付けられ、製品塗布手段を備えるカプセルの製品供給部内に製品を用意することと、カプセルが光学システムを形成するように、カプセルを筐体に移動可能に取り付けることと、製品に応じて、例えば放射光の周波数および／または焦点を変えるために光線が横切るカプセルの光学システムの屈折率（単数または複数）を変えることとが好ましい。
【００８３】
装置の取り扱いやすさおよび人間工学上の理由により、カプセルが筐体に取り付けられた場合、筐体は、可動部と光源とに向かって適切に延在しながら可動部を移動させるプッシュハンドルを有し、光源の給電用電池がプッシュハンドル内に配置されることが好ましい。
【００８４】
発生させた光エネルギーと供給された製品との相互作用、および／または放射光に対するユーザの安全性を確認するために、供給領域から離れた位置でユーザ、および／または可動部を介して開始可能な開始手段が設けられることが好ましい。これにより、製品が上記供給領域へ供給されたときに、供給された製品を光の流れが通過するように、光源からの光線の放出を開始させることができる。
【００８５】
当該表面への製品の供給、およびそこへの光の放射によるこの生体表面の構成細胞の光活性化および／または加熱に関して、この表面に製品塗布手段を介して製品を供給することと、好ましくはこれと同時に、好ましくはコラーゲンおよび血管の生成をつかさどる繊維芽細胞まで浸透する放射線を光源から、フォトバイオモジュレーションをもたらすように焦点を合わせながら、この表面に向けて放出する。
【００８６】
処置対象面に達するために、光源からの放射線は、塗布手段、特に可動部を通過できる。ただし、別の構成も考えられる。この構成では、例えば円形に配設された一連のエレクトロルミネセンスダイオードによって光線をアプリケータ部に沿って、特に周囲を通過させる。
【００８７】
図１は、生体の表面５に上記種類の製品３を供給するとともに、光線の形態のエネルギーを表面５に放出する、またはこの表面を照射する供給装置１を示す。
【００８８】
製品３は、活性成分を含有、または化粧製品を形成する。
【００８９】
この化粧製品は、一定濃度の液体またはクリームであることが好ましい。
【００９０】
表面５は、皮膚の表面、または真皮（表皮）とできる。また、手術によってアクセス可能で治癒可能な内臓を含む、人体の臓器の表面も含むことができる。より一般的には、皮膚への塗布、座瘡、伸展線、瘢痕の処置が含まれ、対象は皮膚または内臓などが含まれるが、これに限定されない。
【００９１】
装置１は、この製品を表面５に供給する供給領域３０を有する。供給領域３０には、製品が存在し、被覆対象の表面に接触可能である。
【００９２】
製品を供給し、それを最適に活性化するために、装置１は、
‐丸みを帯びた外壁７０を有するアプリケータ部７と、
‐１つ以上の光線９０を表面５に向け、好ましくは凸状外壁７０を有する部分７を通して放出する放出器から成る、またはこの放出器を備えた光源９と、
を備えることができる。
【００９３】
アプリケータ部は、装置の本体内、および／または本体上で可動であることが好ましい。
【００９４】
光源９は、１つ以上のエレクトロルミネッセンスダイオードを備えることが好ましい。これらダイオードは、さまざまな波長で発光可能であるので、好ましくは製品３に応じて、表面５上または内の効果を適合化できる。
【００９５】
ここで、製品３は液体であり、より正確には流体である。好ましくは、製品３は、選択された照射／（光）波長への暴露時間中、供給領域全体にわたって製品をほぼ一様に広げる粘度を有する。
【００９６】
可動部は、好ましくは、卵形の回転楕円形、特にボールであり、好ましくは、光線（単数または複数）は可動部を通過できる。
【００９７】
ここで、中実、または別の固体または液体製品を収容した、透明なガラス製ボールまたはポリマー製ボールを含むことができる。あるいは、ボールを中空ボール、例えばプラスチック製ボールにもできる。
【００９８】
好ましい一実施形態において、ボールは、４００から１４００ｎｍまでの間の波長を通過できる。この直径は、例えば８〜１２ｍｍの間にできるが、これより小さくも大きくもできる。
【００９９】
表面への特定波長の伝達を選択的に回避して特定の製品の効率を増強するため、または皮膚を保護するために、装置、例えばボールなどの可動部にフィルタ色を追加できる。
【０１００】
この可動部は、少なくとも１つの枢動軸を中心に枢動可能に取り付けられている。外壁７０が凸状外面を有することが好ましいことが図面から分かる。
【０１０１】
方向１３に垂直な単一の回転軸線を中心に枢動可能に予め取り付けられる可動部７には、例えば円筒形または卵形形状が可能であるが、可動部７は、卵形、好ましくは回転楕円形であり、装置内または装置上で全方向に枢動自在なボールなどの卵形形状を有することが好ましい。
【０１０２】
これにより、表面５に対する装置の空間中の向きにかぎらず、表面５での製品３および光のほぼ一定の広がりが向上する。好ましくは、回転楕円形または卵形、特にボール形状は、顔のあらゆる部分を乗り越えることができる直径を有する。
【０１０３】
装置１は、供給領域３０、ここでは可動部に連通している製品供給部１１をさらに備えている。
【０１０４】
この点に関して、製品の供給領域３０は、可動部７の表面に位置すること、ここでは各図において凸状（丸みを帯びた）外壁７０の表面に位置することが好ましい。
【０１０５】
光線／製品の干渉を高度に回避するために、製品供給部１１は、まず光線９０が表面５に向けて放出される方向に平行な軸線１３に交差するように配置されることが好ましい。しかし、これは必須ではない。アプリケータ部７の背後の後部領域に設けることもできる（図２の領域１１ａ、または図７以降の図面の領域１１を参照）。図１２〜１５では、製品供給部のさらに可能な位置および解決案が示されている。この点に関して、製品供給部は、製品３の貯留槽１０２にて形成、または製品３の貯留槽１０２を備えると理解できることに注目されたい。
【０１０６】
製品と放出された光線との間の相乗効果をさらに向上させるために、装置内の光または光線９０の通路は、この光を可動部７の凸状外壁７０が表面５に接触する領域２５、または図６に示すように、その数ミリメートル先に集束させることが好ましい。あるいは、例えば図３に示すように、例えばボール７による屈折、および／または筐体１５および／またはカプセル１７またはその内部の他の部分による屈折によって、より広い表面積に光を広げるような構成も可能である。
【０１０７】
図６において、エネルギーが最大である点４１は、光学システム全体の各屈折率にて規定される光学焦点の位置である。この焦点は、製品の効率を向上させるために、光路の屈折率を変えること、すなわち材料を変えること、または複数の部分をそれぞれ異なる材料で形成することによって、交換可能なカプセル１７上で変えることができる（以下を参照）。
【０１０８】
同様に、図６においては、この製品の供給領域３０、ここでは患者の皮膚の表皮４３に当てられる可動式のアプリケータ部７の外面は、例えば小さな隆起部４３’として示され、この表皮に対するマッサージ効果を有し、この表面を覆う製品が真皮４５へ浸透する深さを向上させることが明らかである。
【０１０９】
特に、焦点４１が真皮内にある場合、放出光を赤外光とすることができる。
【０１１０】
この装置においては、リング形状の可撓性のリップ１９ａ，１９ｂによって、製品供給部１１、すなわち貯留槽１０２の前および後部で気密性を保持する一方、可動部７の周囲で絞り器のように製品を薄膜状に前側１９ａにのみ通過させることもできる。リップ１９ａにて形成される間隙は、製品の粘度に応じる。可動部７の表面への製品３の放出および広がりは、毛管現象によって実現できる。可動部７は、供給空間１１内、すなわち筐体１１０内に、スナップ接続にて取り付けることができる。
【０１１１】
構成を簡略化するために、可動部７および供給部１１の底側、すなわち壁２１の間を製品が通過できると好ましい。
【０１１２】
さらに、装置には、プッシュハンドルを形成可能な筐体１５が設けられ、その内部に光源９が収容され、そこに製品供給部１１と可動部７とを備えたカプセル１７が好ましくは移動可能に取り付けられる。これにより、使い捨て可能、すなわち使用後に廃棄可能な単回使用のカプセル１７の使用を簡略化できる。
【０１１３】
したがって、カプセルの交換または取り替えが可能であるので、特に、カプセルは、いくつかの塗布対象製品の供給またはいくつかの光線の拡散を可能にする一方、例えば様々な可動部７を有することができる。いくつかの光線の拡散とは、屈折率の違いにより、ボール７または筐体の着色により、フレネルレンズまたはプリズムなどの、ただしこれに限定されない屈折部、または光に影響を及ぼすための同様の手段を設けることによって、カプセルを通過する光の色を変化させることができると理解される。
【０１１４】
これにより、各カプセル１７は、交換可能な、特に使い捨ての詰替品となるので、複数の異なる血清などの製品の一回分用量の使用が可能となる。カプセル１７の貯留槽１０２は、例えば少量の吐出対象製品３を保持できる。この量は、例えば１０ｍｌ未満、より具体的には５ｍｌ未満、特に３ｍｌ未満、例えば０．０１から１．５ｍｌの間にできる。もちろん、他の量も可能である。
【０１１５】
供給部１１、すなわち貯留槽１０２は、カプセルの本体１１０の内部に設けられ、それに対してアプリケータ部７は移動可能となっている。
【０１１６】
光源９と可動部７との間には、光線を可動部側に通過させる、光線に対して透過的な第１の壁２１が挿入されている。特に、図１において、壁２１は、例えば図１に示すように軸線１３に垂直である。
【０１１７】
この壁２１は、好ましくは放射線の光学特性をほぼ変化させないように、４００ｎｍから１４００ｎｍまでの間の波長に対して透過的であること、および／または製品および所望の効果に応じて規定された焦点に光線を集束させるために十分な大きさのサイズおよび形状を有することが好ましい（図６）。あるいは、壁２１は、光線を通過させるための開口部または窓を有することができる。
【０１１８】
好ましくは、製品に対してカプセル１７が気密であるように、透明な壁２１を、カプセル１７に取り付けたり、カプセル１７の一体としたりすることによって、この壁に二重機能を持たせる。この場合、光源９は、供給部１１、すなわち貯留槽１０２に収容されている製品から離れた領域に位置する。
【０１１９】
２つの組立体の組立ておよび分解を簡略化し、製造コストを下げるために、筐体１５とカプセル１７とは、後上端片１７０を弾性保持する筐体のリップ１５０と筐体の周縁溝１０３とを介してスナップ接続されている。透明な壁２１も筐体に係合している。リップ１５０と溝１０３とは、第１および第２の接続手段または部分１００，１０１を形成する。これは、カプセル１７のみが使用される場合の組立／分解のために好ましい。図１および図２には、この例において好ましくは、本体１１０の周縁溝１０３にて形成されるカプセルの接続手段１５０は、閉じた壁２１側の側方に位置するので、光線の通過を妨げないことが示されている。
【０１２０】
特に、図３に示すように、筐体１５内のさらに後側には、この筐体１５の内側に取り付けられた第２の壁２１０によって光源９を保護できる。壁２１０は、光源９からの光線に対して透過的でなくてもよい。
【０１２１】
カプセル１７と筐体１５とを組み立てた状態で、第２の壁２１０は、第１の壁２１に対向して配置される。
【０１２２】
したがって、光源９は、第１および第２の壁２１，２１０の間に設置されている。
【０１２３】
２つの壁２１，２１０は、互いに平行にできる。光源９から所定の波長で放出され塗布面５まで放出される光線は、それぞれ固有の屈折率を有する第１の壁２１と、アプリケータ部７と、表面３０に放出された製品３の層とを順次通過して移動する。
【０１２４】
アプリケータ部７が光学システムを構成することが好ましい。これは中空でも、内部に空気または固体、液体または気体状の何れかの物質があってもよいので、カプセルの出口のいずれかの好ましい部分に焦点を位置決めできる。
【０１２５】
優れた保持と塗布後の製品の容易な取り扱いとのため、筐体１５は、可動部を移動するためのプッシュハンドルまたはケーシング１５１を備えるか、または形成することが好ましい。このプッシュハンドルは、可動部／アプリケータ部７に向かう方向、ここでは１３１に向けて延出していることが好ましい。
【０１２６】
筐体１５には、プッシュハンドルまたはケーシング１５１内に、主電源へのコネクタ、または光源９の１つ以上の給電用電池２７が配設されている。
【０１２７】
なお、使用の安全性および長期機能のために、可動部７は、装置１の第１の部分２９に取り付けまたは係合され、第１の部分２９は、装置の第２の部分３１に対して軸線に沿って平行に移動するように移動可能に取り付けられていることが好ましい。上記軸線は、光源９および可動部７を通過する軸線１３とできる。
【０１２８】
したがって、ここで、供給領域３０から可動部７を介して起動される開始手段４７は、光源からの光線の放出を開始させ、これと同時に製品が供給領域を介して塗布されるので、光の流れは塗布された製品を通過する。
【０１２９】
実際に、可動部７を支持する第１の部分２９は、
‐第１および第２の部分２９，３１が互いに軸方向に離れており、光源９を備えた電気回路が開いている（遮断されている）ので、光線を放出できない第１の位置（図４）と、
‐軸線１３に沿って可動部７が表面５を圧迫することによって、第１および第２の部分２９，３１が軸方向に互いに寄せられて電気回路を閉じ、光源が光線９０を、好ましくは自動的に放出する第２の位置（図５）と、
の間で平行移動するように取り付けられることが好ましい。
【０１３０】
第１および第２の部分２９，３１を第１の位置に自然に戻すために、図示するように被付勢部３３が第１および第２の部分２９，３１の間に設けられることが好ましい。
【０１３１】
第１および第２の部分２９，３１は、遮断器３５を形成するため導電性である。遮断器３５は、装置１の静止時に開いており（光源９を備えた回路が光を一切放出しない）、（一般には塗布面５との接触によって）軸線１３に沿って圧迫された時に閉じる。電子ディケード３９にて制御されるわずかな遅延（図１の回路遅延）の後、光の放出が可動部７内で可能となる。これは全て安全のためである。
【０１３２】
これにより、光源からユーザの両目への強力な光の放出が防止される。
【０１３３】
あるいは、カプセル１７および筐体１５の第１および第２の接続手段１００，１０１は、カプセル１７が筐体１５に適切に接続された場合に、例えば図５に示すように、部分２９，３１を導電位置とし、カプセル１７が筐体１５から離れた後にのみ、例えば図４に示すように、電気回路が開くように構成されている。この一つの利点は、可動部７、すなわちボールを表面上で軽く移動させているときにおいても光が放出されることである。
【０１３４】
好ましくは不透明、すなわち対光線保護を有する蓋３７は、製品供給部１１を覆い、装置の本体、好ましくはカプセル１７に取り外し可能に取り付けられることが好ましい。ここで、カプセル１７に取り付けられた蓋３７は、蓋３７が覆う可動部７に載置してもしていなくてもよい。好ましくは、蓋３７は、それが離れるその下の内容積３８への空気の流入を防ぐ（または少なくとも制限する）ように、強固に取り付けられる。蓋３７をはじめて開く前は、内容積３８内の空気圧を外部３８０に比べて低く、または製品３の酸化を防止または制限するための抗酸化物質を内容積３８に充填することもできる。
【０１３５】
一回分のカプセル１７へのその接続は、特に適している。
【０１３６】
特に、様々な種類の塗布面、例えば皮膚に装置を適合化するために、可動部７と表面５との連続した接触中に、光源９は、様々な波長を二者択一的または同時に発生できる。
【０１３７】
この表面への製品３の放出と、光源９からの放出光による照射とが同時に行われるような状態において、発生させる光ビームの強度または連続性は、接触中に変更できる。
【０１３８】
すでに示したように、貯留槽または供給部１１は、可動部７と光源９との間に延在できる。この場合、製品３の屈折率を考慮する必要がある。塗り広げられる製品３は、光学システムの一部を形成するので、その屈折率が光学的な和として取り込まれる。
【０１３９】
ただし、これは装置内、特にカプセル内に貯蔵されている製品３が少量である場合は好ましくない。製品３があえてむら（または非一様）に供給される場合はさらに好ましくない。さらに、軸線１３を横切る供給部１１の半径方向の周縁部における製品３の量を制限することによって、後側の壁２１をなくすことが可能となる。
【０１４０】
可動部７は、皮膚への最適な塗布のために、顔のすべての部分、特に両目の周囲でも移動できる寸法を有することが好ましい。好ましい一実施形態において、真皮上での摩擦にて生じる回転により、可動部７は、毛管現象によって貯留槽１１から予め得られた製品を塗布する。
【０１４１】
図７〜図１１に示す装置１においては、筐体１５内に取り付けられた中空片４９の機械的な変形によって、この筐体とカプセル１７とを軸（軸線１３）方向に引き離すことができる。このため、可動するブラケット５１ａ，５１ｂが変形可能な部品４９によって側方で支持され、変形可能な部品４９に対して変形または枢動可能に取り付けられている。内部通路４９０は、軸線１３に沿って変形可能片４９全体を貫通している。この内部通路は、枢動軸５１０ａ，５１０ｂに平行な横方向の支持面５３ａ，５３ｂを構成する。支持面５３ａ，５３ｂは、互いに直径方向に対向しており、ユーザが筐体上で軸線１３に垂直にアクセス可能とする。したがって、これら支持面を圧迫することによって、中空片４９は圧迫方向および軸線１３を横切る方向に変形、ひいてはブラケット５１ａ，５１ｂが変形方向に沿って互いに自然に離れていた姿勢から互いにより近接する姿勢に枢動するので、筐体に対するカプセル１７の取り付けおよび／または取り外しが可能となる。
【０１４２】
さらに、特に図７、図８に示すように、カプセル１７は、カプセル１７と、筐体１５の第２の接続手段１０１を形成する第２の連結手段５４との間の所定の取り外し可能な接続を可能にするための第１の接続手段１００を形成する連結手段５２を備えている。第１および第２の接続手段は、光源９からの光線が製品塗布領域７０まで通過する通過領域から距離をおいて設けられている。
【０１４３】
より具体的に、カプセルは、空隙５３を有する。空隙５３は、
‐一側５３０（可動部７の反対側）が外側に向けて開口し、
‐空隙５３を供給部１１から隔てる壁２１を有し、
‐空隙５３の開口部の周囲に側面５５を備え、この側面は第１の連結手段５２または第１の接続手段１００に含まれ、第２の連結手段５４または第２の接続手段１０１に含まれる可動するブラケット５１がそこに取り外し可能に収容されている。
【０１４４】
ブラケット５１ａ，５１ｂの内側に向けて湾曲している端部５１１ａ，５１１ｂの下側への、ここでは環状の側面５５の係合を向上させるため、ブラケット５１ａ，５１ｂは、側面内の周縁における相補的な傾斜による偏傾を生じさせる（ブラケット５１を互いに近付ける傾斜の案内については図１１を参照）。
【０１４５】
図７、図９、図１０からは、カプセル１７が筐体内に取り付けられた場合、開始手段４７，５８は、光源９からの光線の放出の開始を可能にすることが分かる。他方、図１〜５の解決方法は、ユーザが筐体の外側からいつもでアクセス可能なオン／オフ遮断器を備える手段５７を備えることが好ましいことを明記しておく。遮断器５７が閉じたときに光の放出が開始するように、遮断器５７は光放出器９に接続される。
【０１４６】
次に、図７、図９、図１０において、可動部７が表面７０を介して支持体を圧迫したときに上記のように開始手段４７が作動する場合、この手段５７も筐体１５の外側からアクセス可能なオン／オフ遮断器６３を備えることが好ましい。
【０１４７】
開始手段４７の機能に関して、この手段５７が「ＧＯ」の位置にある場合、カプセル１７が筐体に取り付けられていると、このカプセルは、筐体１５に対する軸線１３に沿った変位（平行移動）よって、
ｃ）光源９と電池２７とを備えた電気回路５９を開く第１の位置（図１０）と、
ｄ）光源が光線を放出できるように電気回路を閉じる第２の位置（図９）と、
に移動可能である。
【０１４８】
これに加え、ブラケット５１ａ，５１ｂは、カプセルの方向に貫通する筐体の開口部６４内に保持されているリング６５に接続された脚部６１による内部遮断器６３に対する機械的な動作を選択できる。
【０１４９】
可動部７の圧力にて生じた軸線１３に沿ったカプセル１７の変位の影響下において、リング６５は、突出する脚部６１を介して内部遮断器６３を圧迫する。
【０１５０】
図９から分かるように、好ましくは、カプセルの外壁５５０（ここでは、側面５５の台部）がリング６５を圧迫する。
【０１５１】
全体を取り付けるために、筐体には、遮断器が開く第１の位置にカプセルを自然に戻すバネなどの付勢手段６７がさらに設けられている（図１０，図１１）。したがって、可動部７の軸方向への圧力にて生じた内部遮断器６３に対する圧力は、付勢手段６７の剛性に逆らって作用する。
【０１５２】
したがって、カプセル１７は、筐体に対して、軸線１３に沿って移動可能である。
【０１５３】
ここで、案内および軸方向の停止手段の１つが、軸線１３に平行に配置された横方向のブラケット５１ａ，５１ｂによって構成される。
【０１５４】
環状の側面５５と内側の肩部５６との間であって、軸線１３に対して垂直に形成された溝に係合した各横方向のブラケットは、軸方向に短距離移動する。筐体／カプセル用の環状の外部係止手段５８がさらに設けられることが好ましい。
【０１５５】
光の伝達を伴う、製品３の供給による生体の表面５に対する「衝撃」という側面に関し、その目的はフォトバイオモジュレーションを実現することに注目されたい。ここで関与するのは、（放出波長とともに）一連の光子による刺激である。皮膚のためには、真皮または皮下組織、真皮細胞間質の細胞、特にコラーゲン（コラーゲンは皮膚の引き締めと張性とを特につかさどる皮膚の主構成要素）および血管の生成をつかさどる繊維芽細胞のレベルまで浸透することが好ましい。血液循環の刺激は、細胞の機能向上のための酸素および栄養分の最適な供給を細胞にもたらす。
【０１５６】
好ましくは、この表面５に向けて光源９から放射される放射線は、加温源である赤外線である。
【０１５７】
活性物質に関しては、特に次の物質が提供される。
分子式Ｃ３７Ｈ６９Ｎ０５のＡＣＳＩＩＩ、
ＩＮＩＣ：ジパルミトル（Ｄｉｐａｌｍｉｔｏｌ）ヒドロキシプロリン
コラーゲン合成促進剤タイプＩＩＩ
コラーゲンの同位元素ＩＩＩの合成を選択的に高める、（人間の）スキンケアのための活性成分
繊維芽細胞の表現型発現のモジュレータとして機能する水酸プロリンにて被覆されたジパルミン酸ヒドロキシプロリンを含有する「運搬体」リポソーム。
コラテイン（Ｃｏｌｌａｔｅｉｎ）
ＨＳＰ４７の誘導は、コラーゲンの合成中、プロコラーゲンＩＩＩの細胞外移送とコラーゲンのアルファ鎖の折り畳み、および細胞外繊維形成の前のその外在化を加速する。
コラーゲンの合成に特異的なシャペロンタンパク質であるＨＳＰ４７。
【０１５８】
上記光線の放出を伴う製品３のコスメティックインジケーションまたは治療的処置の文脈において、使用条件が次のとおりであることが好ましいことは上記から明らかである。
‐製品は、装置の供給領域３０を介して皮膚に塗布される、および
‐好ましくは同時に、光放射線がこの供給領域の場所に位置する皮膚に向けて放出される一方、真皮、皮下組織または真皮細胞間質の細胞まで、特にコラーゲンおよび血管の生成をつかさどる繊維芽細胞まで浸透するフォトバイオモジュレーションが生じるようにした焦点が用いられる。
‐上の各例において、製品供給領域は、アプリケータ部７の表面に限定される。しかし、上記のように、光源９から、例えば一連のエレクトロルミネッセンスダイオードを介して伝達される光エネルギーは、アプリケータ部７の横、特に周囲を通過して表面５に達するようにもできる。この場合、光エネルギーの全てまたは一部は、そのままではアプリケータ部７を通過せず、より一般には製品の塗布手段も通過しない。重要なことは、ここで光波の形態で生じたエネルギーは、製品３が塗布された表面５またはその内部に到達することである。
【０１５９】
表面５への製品の供給（したがって塗り広げ）は、可動部７が適切に存在する場合、このような部分にて行われることは明らかである。表面への製品の塗布は、別の方法でも、例えば装置１から独立した、対応付けられた供給器によっても行うことができる。
【０１６０】
したがって、いずれの実施形態においても、活性成分を含有、または化粧製品を形成する製品は、生体の表面５に供給され、そこで好ましくはその塗布と同時に、この表面またはその内部に位置する細胞にエネルギー線の形態の少なくとも１つの波長を伝達することによって製品が活性化される。
【０１６１】
図１２には、上記のように製品および光の吐出のための本開示による装置１が、長手方向の軸線１３を含む中間断面に沿った断面斜視図で模式的に示されている。装置１は、図示する他の複数の実施形態のように、筐体１５とカプセル１７とを備えている。カプセル１７は、全方向にほぼ自由に回転できるようにカプセル本体１１０内に回転可能に取り付けられたアプリケータ部としてのボール７を同様に備えている。カプセル１７は、以下で説明するように、筐体１５の内部および／または表面に設けられた第２の結合または接続手段１０１と結合する第１の結合または接続手段１００を少なくとも備えている。第１および第２の結合または接続手段１００，１０１によって、カプセル１７は、筐体１５に取り外し可能に結合可能である。第１および第２の結合または接続手段は、図１〜１１に説明されているものでも、または以下に説明するものでもよい。
【０１６２】
図１２には、ケーシングまたは筐体１５が断面で示されている。この図には、能動的なアプリケータユニット１０４とカプセル１７とを含む内部の部分が模式的に示されている。上記のように装置を作動させるための回路および電池などのさらなる部品は、便宜上図示していない。図１３〜１５には、ケーシングまたは筐体１５内に取り付け可能なアプリケータユニット１０４およびカプセルの複数の実施形態が基本的に示されている。
【０１６３】
図１２Ａは、能動的なアプリケータユニット１０４およびカプセル１７の一部を断面で模式的に示している。この図には、能動的な吐出および光の案内の一般的概念を示している。図１２Ａには、全方向に回転可能となるように筐体１１０に保持されたボール７が示されている。筐体１１０の第１の側１０５に位置するボール７の部分は、筐体１１０の外側に延出しているので、製品の供給対象面に接触できる。筐体１１０の反対側には、製品３のための室または貯留槽１０２が設けられている。貯留槽１０２は、ボール７とは反対側の開口端１０７を区画する、好ましくはほぼ円筒形の周縁壁１０６を備える。ボール７と貯留槽１０２との間に壁２１が設けられている。壁２１は、貯留槽１０２をボール７の周囲の空間１１Ｂに接続する比較的小さい開口部１０８を有する。室または貯留槽１０２内には、ピストン１０９が設けられている。室または貯留槽１０２内でピストン１０９が軸線１３に沿って開口部１０８に向けて移動できるように、ピストン１０９は、公知のように、例えばＯリングまたは可撓性密閉リップなどにて周縁壁１０６に封着されている。最初に、貯留槽１０２は、好ましくはそのほぼ全体が、吐出される製品３で充填される。大気圧下、少なくとも室温で、例えば１８℃〜３０℃の間またはより高温で上下逆さまに保持、すなわち開口部１０８を下に向けても、製品が貯留槽１０２内に収容されるように、例えば製品の粘度に応じて開口部１０８の大きさが選択される。
【０１６４】
このようなカプセル１７の内部でピストン１０９を開口部１０８に向けて移動すると、ピストンの前面面積に軸線１３に沿った移動量を掛けた値にほぼ等しい量の製品が開口部１０８を通ってボール７に押し当てられる。したがって、塗布量は適切に規定され制御可能である。例えば、カプセルの使用前にボール７が開口部１０８に押し当てられていると、開口部１０８は、製品３を貯留槽内に保持するためにより適切に密閉される。ピストンが開口部１０８に向けて押されると、製品によってボールが押され開口部１０８から離れる。使用前は、例えばキャップ３７によってボール７を開口部１０８に押し付けておくことができる。
【０１６５】
複数の実施形態において、ボール７は、ボールの表面の一部と筐体１１０との間の空間を閉じるシールなしに、筐体１１０内に保持できる。複数の実施形態において、筐体１１０は、ほぼボウル状の保持部１１０Ａを備えることができる。保持部１１０Ａは、図１２Ｂおよび図１２Ｃに示すように、ボールの表面から狭い間隙１１５で離隔された上側のリム１９を有する。このため、間隙１１５を区画すると同時にボールを筐体１１０内に回転可能に閉じ込めるために、互いに離隔した一連の小さなノッチ１９Ｃなどをリム１９に設けることができる。これは、ボール７にて取り込まれた製品がシールによって掻き落とされないという利点を有する。したがって、一度に吐出される製品の量が少しであっても、ほとんど全てが処置対象の表面５に移される。
【０１６６】
図１２Ａの一般的な実施形態において、カプセル１７は、軸線１３に沿って軸線方向に筐体１５に押し込まれている。筐体１５内には、いずれかの適した手段（図１２Ａには図示せず）によって駆動するプッシュロッド１１１が設けられる。適した手段としては、電気、空圧、液圧、または磁気モータ、ステップモータ、または手作業、例えば筐体の外部のスクリューノブがあるが、これに限定されるものではない。プッシュロッド１１１は、開口端１０７を通って貯留槽１０２から外方に向いたピストン１０９の側面に係合する。ピストンおよびプッシュロッドの中心を正確に合わせるために、プッシュロッド１１１は、ピストンの凹み１１２に嵌合することが好ましい。貯留槽の壁１０６の周囲には、１つ以上の導光体１１３を配置できる。導光体１１３は、ここで複数のＬＥＤ９Ａとして示す光源９に近い位置と、カプセル１７の筐体１１０に近くまたは当接している位置との間に設けられている。したがって、矢印９０で示すように、光源９、特に複数のＬＥＤからの光を、貯留槽１０２を通過する導光体（単数または複数）により、貯留槽１０２内の製品３にて邪魔されずにカプセル１７に送ることができる。
【０１６７】
図１２Ａから分かるように、カプセル１７には、例えば保持部１１０Ａと周縁壁１０６との間の移行部またはその下に、例えば図１〜５に示す溝１０３と同様の溝または切欠き１０３を設けることができる。この溝または切欠き１０３に、図１のリム１５０または図６〜１１のフィンガ５２と同様に、導光体１１３が係合することによって、カプセル１７を所定位置に保持し、同時にカプセル１７の筐体１１０に近くまたは当接する導光体の端部１１６を適切に位置決めできる。導光体は、弾性的に柔軟にしたり、カートリッジ１７を同様に取り付けおよび取り外しするために導光体を部分的に外側に移動できるように導光体を取り付けたりすることも可能である。例えば、このために、導光体は、傾斜、湾曲または平行移動可能である。
【０１６８】
図１２Ａから分かるように、カートリッジの下にバネ１１７を設けることができる。このバネには、カートリッジを載置、および／またはピストン１０９とロッド１１１とを前方に動かすことによって荷重をかけることができる。ピストン１０９が少なくとも末端位置に、またはその近傍にあり、貯留槽がほぼ空で、カプセル１７が導光体などの結合手段にて解放されると、カプセルは、バネ１１７によって、少なくともその一部が、筐体から押し出されるため、ユーザは、例えば装置１を屑籠などの上方で傾けるだけで、使用後のカプセルに全く触れることなく、または最小の接触でカプセルを容易に取り出すことができる。
【０１６９】
図１２は、ケーシングまたは筐体１５の一部を、吐出に使用される前のキャップ３７付きカプセル１７を保持しているアプリケータユニット１０４とともに示している。この実施形態において、ユニット１０４は、図１２Ａと同様のカートリッジにて表されており、ユニット１０４は、図１３にて詳細に示している。この実施形態において、プッシュロッド１１１は、ピストン１０９に係合する中空シリンダ１２０と、モータ１２３のスピンドル１２２に取り付けられたロッド部１２１とを備える。シリンダ１２０の内部には、シリンダ１２０をロッド部１２１から離れる方向に付勢するバネ１２４が設けられている。ロッド部１２１には、２つの翼部１２５が設けられている。これら翼部１２５は、ロッド部１２１が軸線１３およびスピンドル１２２を中心に回転しないように、横に広がっており、摺動面１２６に沿ってケーシング１５１内で摺動する。ロッド部には、スピンドル上のねじ山１２８に対応した雌ねじ山１２７が設けられている。したがって、モータ１２３にて駆動されたスピンドル１２２の右方向回転は、ロッド部、ひいてはプッシュロッド１１１を軸線方向に移動させて、ピストン１０９を貯留槽１０２に押し込む。バネ１２４は、ピストン１０９が壁２１に押し当てられて貯留槽をほぼ完全に空にする程度の弾性を有している。ただし、ピストン１０９が末端位置まで移動したとき、バネ１２４に荷重をかけるためにロッド部１２１をさらにわずかに移動させることができるので、カプセル１７を取り外すときに、カプセル１７はバネ１２４によって押し出される。
【０１７０】
ここでも、カプセル１７の取り付け時に、装置、特に光源９および／またはモータ１２３を駆動するためのスイッチを作動させることができる。
【０１７１】
図１２の装置１の一般的な概念は、図１３〜図１５に示す実施形態においてもそれぞれ異なる構成で使用される。
【０１７２】
図１３Ａは、図１２を参照して説明したようなカプセル１７を有する装置１の断面を斜視図で示す。ただし、この実施形態においては、カプセル１７と筐体１５との間の接続手段の構成が異なる。この実施形態において、筐体１５または少なくともユニット１０４は、枢支されたアーム１２９を備える。アーム１２９は、フック１３０を有する。フック１３０は、カプセル１７の溝１０３、特に壁１０６と筐体保持部１１０Ａとの間の移行する部分の近傍において嵌合可能とされている。フック１３０が前記溝１０３に押し込まれるように、アームがバネ１３１にて付勢されている。フック１３０が枢動して溝１０３から出るように、アーム１２９の反対側の端部１３２を押すことができる。これにより、カプセル１７を筐体１５から取り外すことができ、上記のように、バネ１２４にて押し出すことができる。
【０１７３】
図１３Ａにおいて、キャップ３７は、カプセル１７に取り付けられボール７を覆う。キャップ３７は、ボール７に面する側にリム３８Ａを備える。リム３８Ａは、ボール７を開口部１０８、特に開口部１０８の周囲の密閉リング１０８に押し当てる。したがって、キャップ３７が取り付けられている限り、開口部１０８は、ボール７にて閉じられる。
【０１７４】
図１３（図１３Ａ〜Ｈを全て含む）の実施形態において、ピストン１０９は、開口部１０８に面する面を有する。この面は、ピストン１０９を前側に移動して壁２１に接したときに貯留槽１０２の残容積を最小化するために壁２１にぴったりと当たって嵌るようになっている。
【０１７５】
図１３Ｂ〜Ｉは、カプセル１７の取り付け、製品３の吐出、およびカプセル１７の取り外しから成る手順を示している。図１３Ｂ〜Ｉには、ユニット１０４およびカプセル１７のみが示されている。
【０１７６】
図１３Ｂは、後端位置（すなわちモータ１２３に最も近い位置）にあるロッド部１２１と、筐体１５、または少なくともユニット１１４の挿入用開口部１５Ａの近傍に保持されているキャップ３７付きのカプセル１７とを示している。ピストン１０９も最も後側の位置にあり、貯留槽１０２の容積は最大である。図１３Ｃは、開口部１５Ａへ挿入中のカプセルを示している。フック１３０は、バネ１３１によって付勢されて壁１０６に押し当てられ、壁１０６に沿って摺動する。図１３Ｄでは、フック１３０が溝１０３に係合してカプセル１７を所定位置に係止できるように、カプセル１７が最大に挿入されている。ロッド１１１は、ピストン１０９、特にその凹み１１２に係合する。次に、図１３Ｅに示すように、キャップ３７を取り外すことができる。これで、装置１の使用準備が整う。
【０１７７】
モータ１２３を駆動すると、ピストンが前側に移動して製品３が貯留槽１０２から吐出される。
【０１７８】
図１３Ｆは、カプセル１７付きのユニット１０４を示している。ピストン１０９は、モータによって最も前側に移動しており貯留槽が空になっている。次に、図１３Ｇでは、モータ１２３がさらにわずかに駆動しており、スピンドル１２２がロッド部をさらに前側に移動してバネ１２４を付勢している。次に、図１３Ｈでは、フック１３０が溝１０３から引き出されてカプセル１７を解放するようにアームが枢動されている。したがって、図１３Ｉに示すように、カプセル１７はバネ１２４によって筐体１５から押し出される。
【０１７９】
図１３において、光は、貯留槽１０２に沿ってカプセル１７まで導光体１１３にて誘導され、ボール７を通して放射される。
【０１８０】
図１４Ａは、一つの代替的な実施形態に係るユニット１０４およびカプセル１７を側断面図で示している。ここでも、カプセルは、図１２および図１３に図示および説明しているものとほぼ同様である。１つの違いは、壁１０６の外面に溝１０３Ａが設けられている点である。この実施形態において、ユニット１０４は、図１２および図１３の各実施形態のように、ほぼ円筒形の筐体部１０４Ａを有する。筐体部１０４Ａは、挿入用開口部１５Ａを形成する第１の端部１０４Ｂを有する。この実施形態において、プッシュロッド１１１は、ほぼ中実で、スピンドル１２２のねじ山１２８に係合する雌ねじ山１２７を有する内腔を有している。筐体１０４Ａの内側には、第１の端部１０４Ｂの近傍に、カプセル１７または少なくともその貯留槽１０２を収容するための案内部１３３が設けられている。案内部１３３は、例えばほぼ円筒形にでき、開口部１３５付きのリング状の横断壁１３４を有する。プッシュロッド１１１は、開口部１３５を貫通しピストン１０９に係合可能である。ユニット１０４には、端部１０４Ｂからさらに離れた位置に別の横断壁１３６が設けられる。プッシュロッド１１１は、この横断壁１３６も貫通している。２つの横断壁１３４，１３６の間であって、プッシュロッド１１１の周囲には、バネ１３７が設けられている。案内部１３３の壁１３８には、いくつかの開口部１７１が設けられている。開口部１７１は、ボール部１３９をそれぞれ収容する。図１４Ａに示す接続状態において、ボール部１３９は、溝１０３Ａに入り込んでいる。この状態では、ユニット１０４の壁によってボール１３９が外側に移動できないので、カプセルが案内部１３３の内側に係止される。
【０１８１】
図１４Ａから分かるように、壁１３８は、例えば横断壁１３４のボール部１３９とは反対側に、別の開口部１４０を備える。案内部１３３が筐体１０４に最大に押し込まれると、アーム１２９のフック１３０がこの開口部１４０に係合する。フック１３０が開口部１４０に押し込まれて案内部１３３を所定位置に係止するように、アーム１２９がユニット１０４の壁に枢支され、バネ１４１にて付勢されている。この位置において、バネ１３７に荷重がかかり、案内部１３３、ひいてはカプセル１７を筐体１５、１０４の外側へ軸線方向に付勢する。
【０１８２】
筐体１０４Ａの壁の内側に向く面には、溝１４３が設けられている。このため、案内ユニット１３３が外側に移動すると、ボール１３９が外側に移動して溝１４３に嵌り、カプセル１７を案内部１３３から解放する。したがって、カプセルを再度取り出すことができる。
【０１８３】
図１４（図１４Ａ〜Ｉを全て含む）において、ＬＥＤ９Ａなどの光源９を、例えば横断壁１３６に設けることができ、少なくとも１つの導光体１１３を案内部１３３の内部または近傍に設けることができる。筐体１５に押し込まれた場合に案内部１３３がスイッチを作動できるように、スイッチ１４４をユニット１０４内に設けることができる。したがって、カプセルが適切に取り付けられていない場合は、装置または少なくとも光源９を起動できないように、このスイッチ１４４は、電気回路、例えばモータおよび／または光源のオン／オフを切り換えることができる。
【０１８４】
図１４Ｂは、ユニット１０４と、ユニット１０４から離れているカプセル１７とを示している。図１３の実施形態のように、キャップ３７はボール７に被され、ボールをリム１０８Ａに押し当てて開口部１０８が閉じている。各ボール１３９が溝１４３に収容され、カプセル１７が案内部１３３に押し込まれるように、筐体１０４Ａ内で案内部１３３は、端部１０４Ｂに向けて外側に移動する。ロッド１１１は、後側位置にあり、バネ１３７は、比較的弛んでいる。
【０１８５】
図１４Ｃでは、カプセル１７の貯留槽は、案内部１３３に収容されており、その一端が横断壁１３４に当接している。図１４Ｄでは、カプセル１７と案内部１３３とは、軸線１３に沿ってさらに押し込まれている。溝１４３は、傾斜面を有するので、ボール１３９は、案内部１３３によってカプセル１７の溝１０３Ａに押し込まれ、カプセルが案内部１３３に係止する。図１４Ｄに示すように、アーム１２９が押し出されるので、案内部１３３を通過し、図１４Ｅに示す位置に到達できる。この位置において、フック１３０は、開口部１４０内に押し戻され案内部１３３をこの位置に係止する。バネ１３７は、圧縮しており荷重がかかっている。装置を使用できるように、スイッチ１４４が作動している。プッシュロッド１１１は、ピストン１０９に係合している。
【０１８６】
図１４Ｆにおいて、プッシュロッド１１１とピストン１０９とは、モータ１２３とスピンドル１２２とによって前側に最大に移動した位置にあり、ピストン１０９が壁２１に係合している。したがって、製品３が貯留槽から吐出され貯留槽が空になっている。この位置において、アーム１２９が係合して、図１４Ｇに示すように、フック１３０が開口部１４０から引き出されると、バネ１３７が案内部１３３を端部１０４Ｂに向けて外側に押し戻すので、図１４Ｈに示すように、ボール１３９が溝１４３内に戻ることができる。この位置から、図１４Ｉに示すように、カプセル１７を案内部１３３、ひいては筐体１５から取り出すことができる。
【０１８７】
図１５Ａは、カプセル１７がリング状のピストン１０９付きのリング状貯留槽１０２を備えた一実施形態を示している。この実施形態に係るプッシュロッド１１１は、この場合もスピンドル１２２付きモータ１２３にて保持されて移動可能とされ、ピストン１０９に係合するように適合化されたほぼ円筒形の端部１１１Ａを有する。ユニット１１４の挿入用の開口部１５Ａに近い中心には、光源１０９が設けられている。これは、矩形として模式的に示している。光源９は、この場合も、使用中に壁２１およびボール７を通過して光を放出可能な光源を１つ以上収容可能である。この光源としては、ＬＥＤなどが挙げられるが、これに限定されない。この実施形態においては、ボール７の一部の周囲の空間１１Ｂに貯留槽１０２を接続するための開口部１０８を１つ以上設けることができる。
【０１８８】
図１５Ｂは、カプセルがユニット１１４および／または筐体１５に接続されたときに、光源９と貯留槽１０２とが横並びに位置する一実施形態を示している。この実施形態において、モータ１２３とプッシュロッド１１１とを備えた駆動機構は、ほぼ図１３に示すように、ロッド部１２１と前端部１２０との間にバネ１２４を有している。ただし、図１２および図１４に示すような、他の構成も考えられるが、これに限定されない。この実施形態において、開口部１０８を中心軸線１３の側方に示しているが、軸線１３上に位置することも可能である。カプセル１７とユニット１１４または筐体１５との間の接続は、いずれの適した方法、例えば前記のような方法で実現可能である。カートリッジを回転対称にした上記の複数の実施形態とは異なり、非対称形状であるため、少なくとも接続に関する限り、挿入のために選択可能な姿勢は１つのみである。
【０１８９】
図１５Ｃは、図１３とほぼ同様のユニット１１４の一実施形態を示している。ただし、この実施形態においては、アーム１２９の配置と構成が異なる。すなわち、ロッド部１２１がフック１３０とは反対側のアームの端部に係合可能となるように、さらには貯留槽１０２が空になるようにピストン１０９が前側に移動したときにロッド部１２１がアーム１２９に接触するように、さらにはロッド部１２１がカプセル１７側にさらに移動したときに上記のようにバネ１２４に荷重がかかり、ロッド部１２１にてアーム１２９が枢動されてフック１３０が溝１０３から解放されるように配置および構成されている。したがって、カプセル１７は、ユニット１１４および装置１から自動的に解放される。
【０１９０】
図１６Ａおよび図１６Ｂは、カートリッジ１７が同じく設けられた、本開示の一実施形態および筐体１５を示している。この実施形態については、先の各実施形態と異なる点について主に説明する。同一または同様の部分は、図１〜１５に用いたものと同一または同様の参照符号で示している。この実施形態において、カートリッジ１７は、その一部が筐体１５の一端に挿入され、例えば先の各実施形態で説明したように、いずれかの適した方法で解放可能に、そこに接続できる。この実施形態においては、ＬＥＤなどの複数の光源９が筐体１５の内部に設けられている。これら光源９は、カートリッジ１７の一部を通して皮膚の表面（図示せず）に向けて光を放射できる。図１６Ｂには、上記のように、ボール７として示しているアプリケータ部７に沿って一部が通過する光線９０が模式的に示されている。この実施形態においては、この光の少なくとも一部が可動部７と皮膚などの表面５との間の塗布領域３０の周囲面域に放射される。アプリケータ部７を前記光に対して透過的にすると、光の一部は、アプリケータ部７も通過できるであろう。複数の異なる光周波数が用いられる場合、アプリケータ部をこれら周波数の１つ以上に対して透過的、しかし他の１つ以上の周波数に対しては非透過的なプラスチック材料製にもできる。これにより、光の一部はボールを通過できるが、光の別の部分はボールに沿ってのみ通過する。同様に、カートリッジの少なくとも一部を使用する光の一部に対してのみ透過的な材料製にし、光の別の部分はカートリッジのその部分を通過できず、例えばアプリケータ部、例えばボール７を通過してのみ、アプリケータ部から出られるようにもできる。
【０１９１】
この実施形態においては、先の各実施形態と同様に、光源９，９Ａをカートリッジ１７の一端の直近に位置させることも、筐体１５のより内部に位置させることもでき、この場合、光源９、９Ａからの光をカートリッジ１７に送るための光ガイド１１３を１つ以上設けることができる。
【０１９２】
光を皮膚および／またはアプリケータ部７に放出するために、筐体内の光源９，９Ａおよび／または光ガイド１１３からの光をカートリッジ１７の特定の面域に移すための１つ以上の光ガイド１１３を本開示のカートリッジに設けることもできる。
【０１９３】
図１７は、カートリッジ１７が同じく設けられた、本開示の一実施形態および筐体１５を示している。この実施形態については、先の各実施形態と異なる点について主に説明する。同一または同様の部分は、図１〜１５に用いたものと同一または同様の参照符号で示している。この実施形態において、カートリッジ１７は、その一部が筐体１５の一端に挿入され、例えば先の各実施形態で説明したように、いずれかの適した方法で解放可能に、そこに接続できる。この実施形態においても、光源９，９Ａを筐体１５内または上に設けることができる。この実施形態において、アプリケータ部７は、非可動部としてカートリッジ１７の外側に面した端部に設けられている。アプリケータ部７は、供給領域を形成する凸状外面３０を有するほぼ滑らかな湾曲部として示している。この実施形態において、貯留槽１０２に沿って設けられた光ガイド１１３が示されている。これら光ガイド１１３は、光のための出口端１１６が好ましくはアプリケータ部７にて覆われるように、これら出口端１１６をアプリケータ部７の近傍に有している。ここで流路として示している開口部１０８が、貯留槽をアプリケータ部７の供給領域３０に接続している。使用中、貯留槽１０２は、ピストン１０９の前進運動によって空にされ、好ましくは約ゼロｍｌまで容積が縮小される。製品３は、開口部１０８から押し出され、皮膚上での部分７の移動によって表面３０および皮膚の両方にわたって供給される。
【０１９４】
複数の好ましい実施形態において、放出された光の少なくとも一部は、カートリッジ１７の少なくとも一部を通過する。これは、放出される光の、例えば方向、散乱、色、周波数、強度、パワーなどに影響を及ぼすためにカートリッジを使用できるという利点がある。これは、例えば同一の光源９、特に同一のＬＥＤ群９Ａを供給対象のさまざまな製品に対して使用する可能性を提供できる。この場合、吐出される製品および所望される相互作用に応じて、光の周波数、および／または光の強度、および／または光が皮膚に接触する位置（単数または複数）に影響を及ぼすことができる。カートリッジは、光に対するフィルタとして実際に使用可能である。
【０１９５】
本開示の複数の好ましい実施形態において、アプリケータ部は製品３に対してほぼ不浸透性であり、前記製品を吸収しないので、吐出された限定量の製品全体が確実に皮膚上に正確に供給されることが容易に確保される。駆動手段は、前記限定量の製品を正確に吐出させるので、これは活性製品３の損失がなくなるか極めて少ない高度に正確なシステムを提供できる。本開示の複数の好ましい実施形態において、アプリケータ部７は、皮膚への製品の塗布中にほぼ変形しないので、前記表面の一部の周囲で皮膚を弾力的に変形させる接触領域が形成されるように皮膚を圧縮し、スポンジなどの柔軟なものを使用した場合に比べ、皮膚のより好ましいマッサージ効果を生じさせることができる。
【０１９６】
本開示の複数の好ましい実施形態において、装置と製品の吐出先の皮膚との間の唯一の接触は、使い捨てカートリッジ１７の一部であるアプリケータ部７にて生じることが好ましい。例えば、光源９，９Ａは、カートリッジの少なくとも一部によって、このような接触から遮蔽される。これにより、清潔さが向上するので、例えば従来技術の一部の装置のように、装置の洗浄を頻繁に行う必要がなくなる。
【０１９７】
本開示の各実施形態において、ユーザがカートリッジに触れることなく、カートリッジを装置から取り外せることが好ましい。これにより清潔さがさらに向上する。本開示の各実施形態においては、貯留槽１０２の容積を縮小し、製品３を吐出するために機械的な駆動装置を用いることが好ましい。これは、磁気などの他の駆動手段に比べ、移動および容積縮小の精度を向上できる一方、機械的な駆動装置は経済的かつ確実であり、ユーザにとって望ましくない電磁場を防止することができる。
【０１９８】
本開示による装置１は、好ましくはモータ１２３、光源９、および／または、上記のようにカプセル１７の取り付けにて作動するスイッチに接続された制御ユニット１４６を備えることができる。制御ユニットは、好ましくは１５分未満、特に５分未満の単一の吐出サイクルで貯留槽１０２の容積をほぼゼロミリリットルまで縮小するために、モータ１２３にて形成、またはモータ１２３を含む駆動装置を少なくとも制御できる。この制御は、秒単位で駆動装置が行う一連の吐出ステップを含み、１つの連続ステップ、または断続的に、貯留槽１０２の容積を縮小させるように設定することもできる。制御ユニットは、ピストン１０９が前側に駆動して貯留槽に進入し製品が吐出されるように、例えばモータ１２３を作動させるようにプログラムできる。モータ１２３は、例えばピストンが前側に断続的にステップ単位で駆動して、それぞれ所定の持続時間を有する複数のステップで製品が複数回、例えば等しい割合で吐出するように駆動することもできる。例えば、各Ｘ秒のｎステップで製品全量が吐出され、各期間中、ボール７を表面５に転がして前記表面のそれぞれ異なる部分に製品を塗布できるように、貯留槽からＸ秒毎に１／ｎ量の製品３を吐出するように制御を設定できる。例えばｎは、１から５０の間、例えば４から２０の間、例えば８から１５の間などにもできる。あるテスト例では、ｎとして１２を選択し、各期間の持続時間Ｘとして１５秒を選択した。したがって、製品３の全量は、各１５秒の１２の期間で吐出された。ただし、期間の持続時間および／またはステップの数は所望どおりに選択可能である。一実施形態において、さまざまな吐出形態からの選択またはステップの数および／またはその持続時間の設定をユーザに行わせる可能性を制御ユニット１４５に設けることができる。
【０１９９】
単一の吐出サイクルとは、ユーザが自分の皮膚の対象部分に、その皮膚の前記部分の１回の処置のために、一定量の製品を吐出する相対的に短い時間であると理解されたい。例えば、このような部分のそれぞれに対して、異なるカートリッジの使用が可能である。または、その皮膚の同じ部分の以降の複数回の処置のために、例えば日々の処置のために、個々のカートリッジの使用が可能である。
【０２００】
本発明は、本開示に開示および説明されている特定の実施形態に限定されるものではない。本発明の概念の中で多くの変形例が可能である。例えば吐出される製品に応じて、カートリッジごとに特定の光源を設けることができるように、例えば光源９を少なくとも部分的にカートリッジ１７内に設けることができる。カートリッジは、ピストンの代わりに、薄膜を可動壁部分として有することができる。製品をアプリケータ部上に押し出すために、複数の開口部を設けることもできる。カートリッジを筐体１５に別の方法で、例えばカートリッジを筐体内に側面から、すなわち筐体の長手方向軸線に垂直な方向に滑り込ませることができるように接続することもできる。モータの代わりに、貯留槽の容積を縮小させるための他の手段、例えば圧縮気体、手動操作式の強制手段、バネなどを設けることができる。
【０２０１】
上記および同様の補正は、本開示で開示されていると見なされるものとする。
【図１】
0006596028.tif 000002
【図２】
0006596028.tif 000003
【図３】
0006596028.tif 000004
【図４】
0006596028.tif 000005
【図５】
0006596028.tif 000006
【図６】
0006596028.tif 000007
【図７】
0006596028.tif 000008
【図８】
0006596028.tif 000009
【図９】
0006596028.tif 000010
【図１０】
0006596028.tif 000011
【図１１】
0006596028.tif 000012
【図１２】
0006596028.tif 000013
【図１２Ａ】
0006596028.tif 000014
【図１２Ｂ】
0006596028.tif 000015
【図１２Ｃ】
0006596028.tif 000016
【図１３Ａ】
0006596028.tif 000017
【図１３Ｂ】
0006596028.tif 000018
【図１３Ｃ】
0006596028.tif 000019
【図１３Ｄ】
0006596028.tif 000020
【図１３Ｅ】
0006596028.tif 000021
【図１３Ｆ】
0006596028.tif 000022
【図１３Ｇ】
0006596028.tif 000023
【図１３Ｈ】
0006596028.tif 000024
【図１３Ｉ】
0006596028.tif 000025
【図１４Ａ】
0006596028.tif 000026
【図１４Ｂ】
0006596028.tif 000027
【図１４Ｃ】
0006596028.tif 000028
【図１４Ｄ】
0006596028.tif 000029
【図１４Ｅ】
0006596028.tif 000030
【図１４Ｆ】
0006596028.tif 000031
【図１４Ｇ】
0006596028.tif 000032
【図１４Ｈ】
0006596028.tif 000033
【図１４Ｉ】
0006596028.tif 000034
【図１５Ａ】
0006596028.tif 000035
【図１５Ｂ】
0006596028.tif 000036
【図１５Ｃ】
0006596028.tif 000037
【図１６Ａ】
0006596028.tif 000038
【図１６Ｂ】
0006596028.tif 000039
【図１７】
0006596028.tif 000040